(57)【要約】【課題】設置上の制約が軽減された監視装置を提供することである。【解決手段】中央処理装置１は無線通信によりコードレス電話親機５に接続される。コードレス電話親機５は有線通信により公衆電話網８に接続されている。非定常状態が発生すると、侵入センサ２または緊急コールペンダント３からアドレスコードおよび状態コードが中央処理装置１に送信される。中央処理装置１は、コードレス電話親機５および公衆回線網８を介して予め登録された固定電話機９，１１または携帯電話機１０に外線接続される。それにより、侵入センサ２または緊急コールペンダント３と固定電話機９，１１または携帯電話機１０との間で音声通信を行うことができ、侵入センサ２または緊急コールペンダント３と中央処理装置１との間で音声通信を行うことができる。【選択図】        図１
2004186988.tif 000002
【特許請求の範囲】
【請求項１】
回線網に接続された電話機に接続可能な監視装置であって、
非定常時に非定常信号を送信する端末機器と、
前記端末機器と通信可能な中央処理装置とを備え、
前記中央処理装置は、
前記端末機器と通信を行う通信手段と、
前記回線網に接続される通信装置のうち非定常時に通信を行う通信装置を登録する登録手段と、
前記通信手段が前記端末機器から非定常信号を受信した場合に前記電話機を介して前記登録手段により登録された通信装置に外線接続する接続手段とを含むことを特徴とする監視装置。
【請求項２】
前記端末機器は、
非定常状態を検知する検知手段と、
前記検知手段による非定常状態の検知に応答して前記非定常信号を送信する通信手段とを含むことを特徴とする請求項１記載の監視装置。
【請求項３】
前記端末機器の前記通信手段は、
前記検知手段による非定常状態の検知に応答して前記非定常信号および当該端末機器を識別する識別信号を送信するデータ通信手段を含み、
前記中央処理装置の前記通信手段は、
前記端末機器により送信された前記非定常信号および前記識別信号を受信するデータ通信手段を含むことを特徴とする請求項２記載の監視装置。
【請求項４】
前記端末機器は、
非定常状態を通知するための操作手段と、
前記操作手段による非定常状態の通知に応答して前記非定常信号を送信する通信手段とを含むことを特徴とする請求項１〜３のいずれかに記載の監視装置。
【請求項５】
前記端末機器の前記通信手段は、
前記操作手段による非定常状態の通知に応答して前記非定常信号および当該端末機器を識別する識別信号を送信するデータ通信手段を含み、
前記中央処理装置の前記通信手段は、
前記端末機器により送信された前記非定常信号および前記識別信号を受信するデータ通信手段を含むことを特徴とする請求項４記載の監視装置。
【請求項６】
前記端末機器の前記通信手段は、
前記中央処理装置と音声通信を行う音声通信手段をさらに含み、
前記中央処理装置の前記通信手段は、
前記電話機を介して前記登録手段により登録された通信装置および前記端末装置と音声通信を行う音声通信手段をさらに含むことを特徴とする請求項１〜５のいずれかに記載の監視装置。
【請求項７】
前記中央処理装置の前記接続手段は、前記電話機と無線通信により接続されることを特徴とする請求項１〜６のいずれかに記載の監視装置。
【請求項８】
前記電話機はコードレス電話機の親機であり、
前記中央処理装置の前記接続手段は、前記コードレス電話機の親機と無線通信により接続されることを特徴とする請求項７に記載の監視装置。
【請求項９】
前記電話機は携帯電話機であり、
前記中央処理装置の前記接続手段は、前記携帯電話機と無線通信により接続されることを特徴とする請求項７記載の監視装置。
【請求項１０】
前記電話機は携帯電話機であり、
前記中央処理装置の前記接続手段は、前記携帯電話機と有線通信により接続されることを特徴とする請求項１〜６のいずれかに記載の監視装置。
【請求項１１】
前記中央処理装置は、当該中央処理装置を前記電話機の子機として設定するための設定手段をさらに含むことを特徴とする請求項１〜１０のいずれかに記載の監視装置。
【発明の詳細な説明】
【０００１】
【発明の属する技術分野】
本発明は、非定常状態の発生を監視する監視装置に関する。
【０００２】
【従来の技術】
近年、窃盗犯罪の増加に伴ない、住居における監視装置の需要が増加している。従来、この種の監視装置は、侵入者検知用センサを有する複数の端末機器と、警報を発生する中央処理装置（主装置）との組み合わせにより構成されている（例えば、特許文献１参照）。侵入者検知用センサは家屋の窓、ドア等に取り付けられ、中央処理装置は部屋内に設置される。
【０００３】
また、侵入発生等の非定常時に中央処理装置から外線の電話機に自動的に通報し、中央処理装置と外線の電話機との間で音声通話ができる監視装置も普及し始めている。
【０００４】
【特許文献１】
特開平９−９３３５６号公報
【０００５】
【発明が解決しようとする課題】
しかしながら、従来の監視装置では、中央処理装置を設置する場合、既設の電話機から電話線を抜く作業、抜いた電話線を中央処理装置に接続する作業および他の電話線を用いて中央処理装置と既設の電話機とを接続する作業という少なくとも３段階の作業が必要であった。そのため、中央処理装置の設置に手間がかかる上、設置場所により電話機ケーブルの延長コードが必要となるという設置上の課題があった。
【０００６】
本発明は、設置上の制約が軽減された監視装置を提供することである。
【０００７】
【課題を解決するための手段】
（１）第１の発明
第１の発明に係る監視装置は、回線網に接続された電話機に接続可能な監視装置であって、非定常時に非定常信号を送信する端末機器と、端末機器と通信可能な中央処理装置とを備え、中央処理装置は、端末機器と通信を行う通信手段と、回線網に接続される通信装置のうち非定常時に通信を行う通信装置を登録する登録手段と、通信手段が端末機器から非定常信号を受信した場合に電話機を介して登録手段により登録された通信装置に外線接続する接続手段とを含むものである。
【０００８】
本発明に係る監視装置においては、端末機器により非定常時に非定常信号が送信される。中央処理装置の登録手段により回線網に接続される通信装置のうち非定常時に通信を行う通信装置が登録される。中央処理装置は、通信手段により端末機器からの非定常信号が受信された場合に、電話機を介して登録手段により登録された通信装置に接続手段により外線接続される。
【０００９】
このように、中央処理装置が電話機を介して予め登録された通信装置に外線接続することができるので、中央処理装置の設置の際に、電話機から電話線を抜く作業および抜いた電話線を中央処理装置に接続する作業が必要なく、作業の手間が軽減されるとともに、中央処理装置の設置上の自由度が向上する。したがって、中央処理装置の設置上の制約が軽減される。
【００１０】
（２）第２の発明
第２の発明に係る監視装置は、第１の発明に係る監視装置の構成において、端末機器は、非定常状態を検知する検知手段と、検知手段による非定常状態の検知に応答して非定常信号を送信する通信手段とを含むものである。
【００１１】
この場合、端末機器の検知手段により非定常状態が検知され、非定常状態の検知に応答して通信手段により非定常信号が送信される。それにより、中央処理装置および外線接続された通信装置において、非定常状態の発生を把握することが可能となる。
【００１２】
（３）第３の発明
第３の発明に係る監視装置は、第２の発明に係る監視装置の構成において、端末機器の通信手段は、検知手段による非定常状態の検知に応答して非定常信号および当該端末機器を識別する識別信号を送信するデータ通信手段を含み、中央処理装置の通信手段は、端末機器により送信された非定常信号および識別信号を受信するデータ通信手段を含むものである。
【００１３】
この場合、非定常状態の検知に応答してデータ通信手段により非定常信号および端末機器を識別する識別信号が送信される。端末機器により送信された非定常信号および識別信号は中央処理装置のデータ通信手段により受信される。それにより、中央処理装置および外線接続された通信装置において、非定常状態の発生および非定常状態の発生場所を識別することが可能となる。
【００１４】
（４）第４の発明
第４の発明に係る監視装置は、第１〜第３のいずれかの発明に係る監視装置の構成において、端末機器は、非定常状態を通知するための操作手段と、操作手段による非定常状態の通知に応答して非定常信号を送信する通信手段とを含むものである。
【００１５】
この場合、端末機器の使用者が操作手段により非定常状態を通知することができる。非定常状態の通知に応答して非定常信号が通信手段により送信される。それにより、中央処理装置および外線接続された通信装置において、非常状態の発生を把握することが可能となる。
【００１６】
（５）第５の発明
第５の発明に係る監視装置は、第３の発明に係る監視装置の構成において、端末機器の通信手段は、操作手段による非定常状態の通知に応答して非定常信号および当該端末機器を識別する識別信号を送信するデータ通信手段を含み、中央処理装置の通信手段は、端末機器により送信された非定常信号および識別信号を受信するデータ通信手段を含むものである。
【００１７】
この場合、非定常状態の通知に応答してデータ通信手段により非定常信号および端末機器を識別する識別信号が送信される。端末機器により送信された非定常信号および識別信号は中央処理装置のデータ通信手段により受信される。それにより、中央処理装置および外線接続された通信装置において、非定常状態の発生および非定常状態の発生場所を識別することが可能となる。
【００１８】
（６）第６の発明
第６の発明に係る監視装置は、第１〜第５のいずれかの発明に係る監視装置の構成において、端末機器の通信手段は、中央処理装置と音声通信を行う音声通信手段をさらに含み、中央処理装置の通信手段は、電話機を介して登録手段により登録された通信装置および端末装置と音声通信を行う音声通信手段をさらに含むものである。
【００１９】
この場合、端末機器の音声通信手段と中央処理装置の音声通信手段との間で音声通信を行うことができる。また、端末機器の音声通信手段と外線接続された通信装置との間で中央処理装置の音声通信手段を介して音声通信を行うことができる。
【００２０】
したがって、通信装置から非定常状態の発生現場に対して直接威嚇または呼びかけを行うことができ、侵入者に対して侵入抑止効果を与えるとともに、緊急事態が発生した使用者に対して安心感を付与することが可能となる。
【００２１】
また、非定常状態が発生した現場付近の状況を確認することができるので、迅速に適切な措置を講じることが可能となる。特に、非定常状態の発生現場が中央処理装置から離れていたり、扉等で隔離されている場合には、端末機器と通信装置との間での音声通信により非定常状態が発生した現場付近の状況を迅速に確認することが可能となる。
【００２２】
さらに、非定常状態の発生時に端末機器と中央処理装置との間で音声通信を行うことができる。したがって、中央処理装置から発生現場に対して直接威嚇または呼びかけを行うことができ、侵入者に対して侵入抑止効果を与えるとともに、緊急事態が発生した使用者に対して安心感を付与することが可能となる。
【００２３】
（７）第７の発明
第７の発明に係る監視装置は、第１〜第６のいずれかの発明に係る監視装置の構成において、中央処理装置の接続手段は、電話機と無線通信により接続されるものである。
【００２４】
この場合、中央処理装置を設置する際に、電話機から電話線を抜く作業、抜いた電話線を中央処理装置に接続する作業および他の電話線を用いて中央処理装置と電話機とを接続する作業が必要なく、作業の手間がさらに軽減される。
【００２５】
（８）第８の発明
第８の発明に係る監視装置は、第７の発明に係る監視装置の構成において、電話機はコードレス電話機の親機であり、中央処理装置の接続手段は、コードレス電話機の親機と無線通信により接続されるものである。
【００２６】
この場合、中央処理装置を電波の届く範囲内で任意の場所に設置することができるとともにコードレス電話機の親機の利便性が向上する。
【００２７】
（９）第９の発明
第９の発明に係る監視装置は、第７の発明に係る監視装置の構成において、電話機は携帯電話機であり、中央処理装置の接続手段は、携帯電話機と無線通信により接続されるものである。
【００２８】
この場合、固定電話機を使用することができない場合でも、非定常状態の発生を容易に監視することができ、さらに利便性が向上する。
【００２９】
（１０）第１０の発明
第１０の発明に係る監視装置は、第１〜第６のいずれかの発明に係る監視装置の構成において、電話は携帯電話機であり、中央処理装置の接続手段は、携帯電話機と有線通信により接続されるものである。
【００３０】
この場合、中央処理装置と携帯電話機との通信に無線モジュール等が不要となり、簡単な構成で信頼性が向上する。
【００３１】
（１１）第１１の発明
第１１の発明に係る監視装置は、第１〜第１０のいずれかの発明に係る監視装置の構成において、中央処理装置は、当該中央処理装置を電話機の子機として設定するための設定手段をさらに含むものである。
【００３２】
この場合、設定手段により中央処理装置を電話機の子機として設定することにより中央処理装置を電話機に接続することができるので、中央処理装置の設置作業が容易になる。
【００３３】
【発明の実施の形態】
以下、本発明の実施の形態について図面を参照しながら詳細に説明する。以下の実施の形態では、本発明を防犯用および緊急通報用の監視装置に適用した場合について説明する。この場合、非定常状態とは、家屋に侵入が発生した状態または緊急事態が発生した状態を示している。
【００３４】
（１）第１の実施の形態
図１は本発明の第１の実施の形態に係る監視装置を用いた監視システムの構成を示すブロック図である。
【００３５】
図１において、監視装置１００は、中央処理装置１、１または複数の侵入センサ２、緊急コールペンダント３およびリモートコントローラ（以下、リモコンと略記する）４を含む。なお、図中、実線の矢印は各構成要素間における有線での通信を示し、点線の矢印は各構成要素間における無線での通信を表している。
【００３６】
ここで、侵入センサ２および緊急コールペンダント３は端末機器に相当する。中央処理装置１と侵入センサ２との間、中央処理装置１と緊急コールペンダント３との間および中央処理装置１とリモコン４との間は無線通信により接続されている。中央処理装置１は、無線通信によりコードレス電話親機５に接続される。コードレス電話親機５には複数の子機６，７が無線通信により接続される。コードレス電話親機５は、有線通信により公衆回線網８に接続されている。
【００３７】
また、公衆回線網８には、固定電話機９，１１が有線通信により接続され、携帯電話機１０が無線通信により接続される。
【００３８】
固定電話機９，１１および携帯電話機１０は、中央処理装置１に予め登録された通信装置である。例えば、固定電話機９は親類が所有し、携帯電話機１０は友人が所有し、固定電話機１１は緊急コールセンターが所有する。以下、中央処理装置１に登録された通信装置の使用者を連絡者と呼ぶ。
【００３９】
この場合、中央処理装置１は、コードレス電話親機５の子機の１つとして設定される。それにより、中央処理装置１はコードレス電話親機５を介して公衆回線網８に接続され、公衆回線網８に接続された固定電話機９，１１と音声通信およびデータ通信が可能となる。このように、中央処理装置１は、コードレス電話親機５の子機の１つとして設定されるので、中央処理装置１を回線接続装置および電話機ケーブルを介して公衆回線網８に接続する必要がない。
【００４０】
図２は図１の中央処理装置１の構成を示すブロック図である。中央処理装置１はデータ通信装置１２、音声通信装置１３、制御装置１４、送受信装置１５、設定部１６、音声出力装置１７および音声入力装置１８により構成される。
【００４１】
データ通信装置１２は、図１の侵入センサ２、緊急コールペンダント３およびリモコン４と双方向のデータ通信を行う。送受信装置１５は、図１のコードレス電話親機５と無線通信を行う。設定部１６は複数の操作ボタンを有し、使用者が中央処理装置１の全体の動作を設定するため用いられる。例えば、使用者は、中央処理装置１の設置の際に、コードレス電話親機５の子機として中央処理装置１を設定する。また、使用者は、後述する外出警戒モード、在宅警戒モード等の種々の動作モードを設定することができる。
【００４２】
音声入力装置１８は、マイク等からなり、音声を音声信号として音声通信装置１３に入力する。音声通信装置１３は、音声入力装置１８により入力された音声信号を変調して制御装置１４に与えるととともに、制御装置１４から与えられる音声信号を復調して音声出力装置１７に与えられる。音声出力装置１７は、スピーカ等からなり、音声通信装置１３から与えられる音声信号を音声として出力する。
【００４３】
制御装置１４は、マイクロコンピュータ、メモリ等からなり、データ通信装置１２、音声通信装置１３および送受信装置１５を制御し、データ通信装置１２の出力信号を受けて送受信装置１５をコードレス電話親機５に接続することにより、音声通信装置１３をコードレス電話親機５を介して公衆回線網８に接続する。
【００４４】
図３は図１の侵入センサ２の構成を示すブロック図である。
図３の侵入センサ２は、侵入検知部１９、端末制御装置２０、データ通信装置２１、音声通信装置２２、音声出力装置２３および音声入力装置２４を含む。
【００４５】
侵入検知部１９は、リードスイッチおよび磁石からなる。このリードスイッチを窓またはドアの枠に取り付け、可動部である窓ガラスまたはドアの開閉部にリードスイッチに対応して磁石を取り付けることにより、窓またはドアの開閉を検知することができる。侵入検知部１９は、侵入の発生を検知すると、侵入の発生を示す状態コード（非定常信号）を出力する。
【００４６】
データ通信装置２１は、図１の中央処理装置１と無線通信を行う。端末制御装置２０は、侵入検知部１９から出力される状態コードをアドレスコードとともにデータ通信装置２１を介して中央処理装置１に無線により送信する。ここで、アドレスコードとは、当該侵入センサ２を識別するための端末機器コードである。音声入力装置２４は、マイク等からなり、侵入センサ２の周辺の音声を集音し、音声信号として端末制御装置２０に与える。音声通信装置２２は、図１の中央処理装置１との間で音声通信を行う。
【００４７】
図４は図１の緊急コールペンダント３の構成を示すブロック図である。
図４の緊急コールペンダント３は、緊急コール装置２５、端末制御装置２６、データ通信装置２７、音声通信装置２８、音声出力装置２９および音声入力装置３０を含む。
【００４８】
緊急コール装置２５は、押ボタンスイッチからなる。使用者は、この押ボタンスイッチを押下することにより緊急事態の発生を知らせることができる。端末制御装置２６は、緊急コール装置２５の押しボタンスイッチが押下されると、使用者が緊急事態に陥っていることを示す状態コード（非定常信号）をアドレスコードとともにデータ通信装置２７を介して中央処理装置１に無線通信により送信する。ここで、アドレスコードは、当該緊急コールペンダント３を識別するための端末機器コードである。
【００４９】
音声通信装置２８は、中央処理装置１との間で音声通信を行う。音声出力装置２９は、スピーカー等からなり、音声通信装置２８により受信された音声信号を音声として出力する。音声入力装置３０は、マイク等からなり、緊急コールペンダント３を携行する使用者の音声を音声信号として音声通信装置２８に入力する。
【００５０】
次に、図１の監視装置の動作を説明する。使用者は、中央処理装置１を部屋内に設置し、コードレス電話親機５の子機として中央処理装置１を設定する。使用者は、設定部１６またはリモコン４を用いて中央処理装置１の子機番号およびコードレス電話親機５の番号を設定する。設定内容は、制御装置１４内のメモリに記憶される。この場合、コードレス電話親機５に対して電波が届く範囲内であれば中央処理装置１を任意の場所に設置することができる。
【００５１】
また、使用者は、非定常時に接続される１または複数の通信装置を設定部１６またはリモコン４を用いて制御装置１４に登録する。登録内容は、制御装置１４内のメモリに記憶される。本実施の形態では、制御装置１４に固定電話機９，１１および携帯電話機１０が登録されている。また、使用者は、制御装置１４の動作モードとして外出警戒モード、在宅警戒モード等を設定する。
【００５２】
図５は外出警戒モード時における中央処理装置１の制御装置１４の動作を示すフローチャートである。
【００５３】
使用者は、外出時に、設定部１６またはリモコン４を用いて制御装置１４に外出警戒モードを設定する。それにより、すべての侵入センサ２が警戒動作を開始する。
【００５４】
警戒動作中に、窓またはドアが開くと、侵入センサ２の侵入検知部１９が侵入の発生を検知し、端末制御装置２０がアドレスコードおよび侵入の発生を示す状態コードをデータ通信装置２１を介して中央処理装置１に送信し、音声通信装置２２を待ち受け状態にする。この際、音声出力装置２３から所定時間警報を発生するようにしてもよい。
【００５５】
中央処理装置１の制御装置１４は、侵入センサ２からアドレスコードおよび侵入の発生を示す状態コードを受信したか否かを判別する（ステップＳ１）。制御装置１４は、アドレスコードおよび侵入の発生を示す状態コードを受信した場合には、アドレスコードに基づいて侵入センサ２を識別する（ステップＳ２）。
【００５６】
次いで、制御装置１４は、送受信装置１５をコードレス電話親機５および公衆回線網６０を介して登録された通信装置に接続し、アドレスコードおよび状態コードに基づいて侵入の発生および侵入場所を示す音声メッセージを送信する（ステップＳ３）。本実施の形態では、制御装置１４は、固定電話機９，１１または携帯電話機１０に上記の音声メッセージを送信する。なお、音声メッセージは制御装置１４のメモリにアドレスコードや状態コードに関連付けて予め記憶しておく。
【００５７】
宅外の連絡者は、制御装置１４から音声メッセージを受信すると、通信装置から公衆回線網６０およびコードレス電話親機５を介して中央処理装置１に所定のトーン信号を送信する。本実施の形態では、固定電話機９，１１または携帯電話機１０を使用する連絡者が中央処理装置１にトーン信号を送信する。
【００５８】
制御装置１４は、通信装置からトーン信号を受信すると（ステップＳ４）、音声通信装置１３を介して１または複数の侵入センサ２に共通呼び出し信号を発信する（ステップＳ５）。そして、制御装置１４は、待ち受け状態にある侵入センサ２と通信装置との通話構成を確立させる（ステップＳ６）。
【００５９】
それより、侵入センサ２の付近の音声が音声入力装置２４により音声信号として入力され、その音声信号が音声通信装置２２を介して中央処理装置１に送信される。中央処理装置１の音声通信装置１３により受信された音声信号は、送受信装置１５からコードレス電話親機５および公衆回線網８を介して宅外の通信装置に送信され、音声として出力される。
【００６０】
また、宅外の連絡者の音声が通信装置から公衆回線網８およびコードレス電話親機５を介して中央処理装置１の送受信装置１５に送信され、音声通信装置１３から侵入センサ２に送信される。侵入センサ２の音声通信装置２２により受信された音声信号は、音声出力装置２３から音声として出力される。
【００６１】
このようにして、侵入センサ２の周囲の音声を予め登録された宅外の通信装置によりモニタすることができる。また、必要な場合には、予め登録された通信装置により宅外の連絡者が侵入センサ２の付近の侵入者を音声により威嚇することができる。また、モニタ中に宅外の通信装置から所定のトーン信号を送信することにより、音声出力装置２３から警報を発生したり、発生した警報を停止させたりするようにしてもよい。
【００６２】
図６は在宅警戒モード時における中央処理装置１の制御装置１４の動作を示すフローチャートである。
【００６３】
使用者は、在宅時に、設定部１６またはリモコン４を用いて制御装置１４に在宅警戒モードを設定する。それにより、予め設定した一部または全ての侵入センサ２が警戒動作を開始する。使用者は、例えば、夜間の就寝時に在宅警戒モードを設定することができる。
【００６４】
警戒動作中に、窓またはドアが開くと、侵入センサ２の侵入検知部１９が侵入の発生を検知し、端末制御装置２０がアドレスコードおよび侵入の発生を示す状態コードをデータ通信装置２１を介して中央処理装置１に送信し、音声通信装置２２を待ち受け状態にする。
【００６５】
中央処理装置１の制御装置１４は、侵入センサ２からアドレスコードおよび侵入の発生を示す状態コードを受信したか否かを判別する（ステップＳ１１）。制御装置１４は、アドレスコードおよび侵入の発生を示す状態コードを受信した場合には、アドレスコードに基づいて侵入センサ２を識別する（ステップＳ１２）。
【００６６】
さらに、制御装置１４は、音声通信装置１３を介して１または複数の侵入センサ２に共通呼び出し信号を発信し、待ち受け状態にある侵入センサ２と中央処理装置１との通話構成を確立させる（ステップＳ１３）。
【００６７】
それより、侵入センサ２の付近の音声が音声入力装置２４に音声信号として入力され、その音声信号が音声通信装置２２を介して中央処理装置１に送信される。中央処理装置１の音声通信装置１３により受信された音声信号は、音声出力装置１７から音声として出力される。
【００６８】
また、中央処理装置１の付近の使用者の音声が音声入力装置１８により音声信号として入力され、その音声信号が音声通信装置１３から侵入センサ２に送信される。侵入センサ２の音声通信装置２２により受信された音声信号は、音声出力装置２３から音声として出力される。
【００６９】
このようにして、侵入センサ２の周囲の音声を中央処理装置１により傍受することができる。また、必要な場合には、使用者が中央処理装置１から侵入センサ２の付近の侵入者を音声により威嚇することができる。
【００７０】
図７は宅外緊急コールモード時における中央処理装置１の制御装置１４の動作を示すフローチャートである。
【００７１】
使用者は、在宅時に侵入の発生により宅外の連絡者に緊急事態の発生を連絡する場合または体調の急変により宅外の連絡者に緊急の連絡を要する場合に緊急コールペンダント３の緊急コール装置２５の押しボタンスイッチを押下することにより宅外緊急コールモードを設定する。それにより、緊急コールペンダント３の端末制御装置２６がアドレスコードおよび緊急事態の発生を示す状態コードをデータ通信装置２７を介して中央処理装置１に送信し、音声通信装置２８を待ち受け状態にする。
【００７２】
中央処理装置１の制御装置１４は、緊急コールペンダント３からアドレスコードおよび緊急事態の発生を示す状態コードを受信したか否かを判別する（ステップＳ２１）。制御装置１４は、アドレスコードおよび緊急事態の発生を示す状態コードを受信した場合には、アドレスコードに基づいて緊急コールペンダント３を識別する（ステップＳ２２）。
【００７３】
次いで、制御装置１４は、送受信装置１５をコードレス電話親機５および公衆回線網６０を介して登録された通信装置に接続し、アドレスコードおよび状態コードに基づいて緊急事態の発生および使用者の居場所を示す音声メッセージを送信する（ステップＳ２３）。本実施の形態では、制御装置１４は、固定電話機９，１１または携帯電話機１０に上記の音声メッセージを送信する。
【００７４】
宅外の連絡者は、中央処理装置１から音声メッセージを受信すると、通信装置から公衆回線網６０およびコードレス電話親機５を介して中央処理装置１にトーン信号を送信する。本実施の形態では、固定電話機９，１１または携帯電話機１０を使用する連絡者が中央処理装置１にトーン信号を送信する。
【００７５】
制御装置１４は、通信装置からトーン信号を受信すると（ステップＳ２４）、音声通信装置１３を介して緊急コールペンダント３に共通呼び出し信号を発信する（ステップＳ２５）。そして、制御装置１４は、待ち受け状態にある緊急コールペンダント３と通信装置との通話構成を確立させる（ステップＳ２６）。
【００７６】
それより、緊急コールペンダント３の付近の音声が音声入力装置３０により音声信号として入力され、その音声信号が音声通信装置２８を介して中央処理装置１に送信される。中央処理装置１の音声通信装置１３により受信された音声信号は、送受信装置１５からコードレス電話親機５および公衆回線網８を介して宅外の通信装置に送信され、音声として出力される。
【００７７】
また、宅外の連絡者の音声が通信装置から公衆回線網８およびコードレス電話親機５を介して中央処理装置１の送受信装置１５に送信され、音声通信装置１３から緊急コールペンダント３に送信される。緊急コールペンダント３の音声通信装置２８により受信された音声信号は、音声出力装置２９から音声として出力される。
【００７８】
このようにして、緊急コールペンダント３を携行する使用者の音声を予め登録された宅外の通信装置によりモニタすることができる。また、必要な場合には、予め登録された通信装置により宅外の連絡者が緊急コールペンダント３の使用者に呼びかけを行うことができる。
【００７９】
図８は宅内緊急コールモード時における中央処理装置１の制御装置１４の動作を示すフローチャートである。
【００８０】
使用者は、在宅時に侵入の発生により同居者に緊急事態の発生を連絡する場合または体調の急変により同居者に緊急の連絡を要する場合に緊急コールペンダント３の緊急コール装置２５の押しボタンスイッチを押下することにより宅内緊急コールモードを設定する。それにより、緊急コールペンダント３の端末制御装置２６がアドレスコードおよび緊急事態の発生を示す状態コードをデータ通信装置２７を介して中央処理装置１に送信し、音声通信装置２８を待ち受け状態にする。
【００８１】
中央処理装置１の制御装置１４は、緊急コールペンダント３からアドレスコードおよび緊急事態の発生を示す状態コードを受信したか否かを判別する（ステップＳ３１）。制御装置１４は、アドレスコードおよび緊急事態の発生を示す状態コードを受信した場合には、アドレスコードに基づいて緊急コールペンダント３を識別する（ステップＳ３２）。
【００８２】
さらに、制御装置１４は、音声通信装置１３を介して緊急コールペンダント３に共通呼び出し信号を発信し、待ち受け状態にある緊急コールペンダント３と中央処理装置１との通話構成を確立させる（ステップＳ３３）。
【００８３】
それより、緊急コールペンダント３を携行する使用者の音声が音声入力装置３０により音声信号として入力され、その音声信号が音声通信装置３０を介して中央処理装置１に送信される。中央処理装置１の音声通信装置１３により受信された音声信号は、音声出力装置１７から音声として出力される。
【００８４】
また、中央処理装置１の付近の同居者の音声が音声入力装置１８により音声信号として入力され、その音声信号が音声通信装置１３から緊急コールペンダント３に送信される。緊急コールペンダント３の音声通信装置２８により受信された音声信号は、音声出力装置２９から音声として出力される。
【００８５】
このようにして、緊急コールペンダント３を携行する使用者の音声による状況確認を中央処理装置１により行うことができる。また、必要な場合には、同居者が中央処理装置１から緊急コールペンダント３を携行する使用者に音声による呼びかけを行うことができる。
【００８６】
以上のように、第１の実施の形態に係る監視装置１００においては、中央処理装置１を宅内のコードレス電話親機５の子機として設定することにより、中央処理装置１をコードレス電話親機５を介して予め登録された通信装置に外線接続可能となっているので、中央処理装置１の設置の際に電話機ケーブルを中央処理装置１に接続する作業が必要がなく、中央処理装置１の設置上の自由度が向上する。
【００８７】
また、中央処理装置１がコードレス電話親機５と無線通信可能となっているので、中央処理装置１を電波の届く範囲で任意の場所に設置することができるとともにコードレス電話親機５の利便性が向上する。
【００８８】
また、中央処理装置１、侵入センサ２および緊急コールペンダント３にそれぞれ非定常状態を示す状態コードの送受信を行うデータ通信装置１２，２１，２７および音声信号の送受信を行う音声通信装置１３，２２，２８が設けられ、中央処理装置１が侵入センサ２または緊急コールペンダント３から非定常状態を示す状態コードを受信したときに予め登録された宅外の通信装置に外線接続し、侵入センサ２および緊急コールペンダント３と宅外の通信装置との間で音声通信を行うことができる。
【００８９】
したがって、宅外の通信装置から非定常状態の発生現場に対して直接威嚇または呼びかけを行うことができ、侵入者に対して侵入抑止効果を与えるとともに、緊急事態が発生した使用者に対して安心感を付与することが可能となる。
【００９０】
また、非定常状態が発生した現場付近の状況を確認することができるので、迅速に適切な措置を講じることが可能となる。特に、非定常状態の発生現場が中央処理装置１から離れていたり、扉等で隔離されている場合には、侵入センサ２または緊急コールペンダント３と宅外の通信装置との間での音声通信により非定常状態が発生した現場付近の状況を迅速に確認することが可能となる。
【００９１】
さらに、非定常状態の発生時に侵入センサ２または緊急コールペンダント３と中央処理装置１との間で音声通信を行うことができる。したがって、中央処理装置１から発生現場に対して直接威嚇または呼びかけを行うことができ、侵入者に対して侵入抑止効果を与えるとともに、緊急事態が発生した使用者に対して安心感を付与することが可能となる。
【００９２】
なお、中央処理装置１、侵入センサ２および緊急コールペンダント３のそれぞれにおいて、データおよび音声信号の混合分別通信回路を用いることにより高周波回路を共有化することができる。
【００９３】
また、親機５が留守番電話機能を有し、外部電話機からの電話により留守番メッセージを発生している間に、外部電話機から所定のトーン信号を送信すると、親機５がトーン信号を受信し、親機５から制御装置１４へ監視動作の開始を指示する信号を送信することにより、外部から監視動作を設定できる構成としてもよく、利便性が向上する。
【００９４】
本実施の形態において、侵入センサ２および緊急コールペンダント３が端末機器に相当し、固定電話機９，１１および携帯電話機１０が通信装置に相当し、コードレス電話親機５が電話機に相当する。また、データ通信装置１２，２１，２７および音声通信装置１３，２２，２８が通信手段に相当し、制御装置１４および設定部１６が登録手段に相当し、送受信装置１５が接続手段に相当する。さらに、データ通信装置１２，２１，２７がそれぞれデータ通信手段に相当し、侵入検知部１９が検知手段に相当し、緊急コール装置２５が操作手段に相当し、音声通信装置１３，２２，２８がそれぞれ音声通信手段に相当し、制御装置１４および設定部１６が設定手段に相当する。
【００９５】
（２）第２の実施の形態
図９は本発明の第２の実施の形態に係る監視装置を用いた監視システムの構成を示すブロック図である。
【００９６】
図９の監視装置１００ａが図１の監視装置１００と異なるのは、中央処理装置１が携帯電話機３１と無線通信可能でかつ携帯電話機３１を介して予め登録された固定電話機９，１１および携帯電話機１０と外線接続可能となっている点である。本実施の形態では、携帯電話機３１が電話機に相当する。
【００９７】
この場合、中央処理装置１を携帯電話機３１の子機として設定することにより、中央処理装置１は携帯電話機３１を介して予め登録された固定電話機９，１１および携帯電話機１０に外線接続可能となる。
【００９８】
したがって、本実施の形態の監視装置１００ａでは、図１の監視装置１００と同様に、中央処理装置１の設置上の自由度が向上する上、引越し等で固定電話機を使用することができない場合でも、非定常状態を容易に監視することができ、さらに利便性が向上する。
【００９９】
（３）第３の実施の形態
図１０は本発明の第３の実施の形態に係る監視装置を用いた監視システムの構成を示すブロック図である。
【０１００】
図１０の監視装置１００ｂが図１の監視装置１００と異なるのは、中央処理装置１が携帯電話機３２と有線通信可能でかつ携帯電話機３２を介して予め登録された固定電話機９，１１および携帯電話機１０に外線接続可能となっている点である。本実施の形態では、携帯電話機３２が電話機に相当する。
【０１０１】
携帯電話機３２は、例えば、専用の通信用アダプタを用いて中央処理装置１に接続される。この場合、中央処理装置１を携帯電話機３２の子機として設定することにより、中央処理装置１は携帯電話機３２を介して予め登録された固定電話機９，１１および携帯電話機１０に外線接続可能となる。
【０１０２】
本実施の形態の監視装置１００ｂにおいては、中央処理装置１を任意の場所に設置しても携帯電話機３２を中央処理装置１に接続することにより中央処理装置１が予め登録された固定電話機９，１１および携帯電話機１０に外線接続可能となるので、中央処理装置１の設置上の自由度が向上する上、中央処理装置１と携帯電話機３２との通信に無線モジュール等が不要となり、簡単な構成で信頼性が向上する。
【０１０３】
（４）他の変形例
上記実施の形態では、端末機器として侵入センサ２および緊急コールペンダント３が設けられているが、端末機器の台数は限定されず、アドレスコードおよび状態コードを送信可能であれば、任意の数の侵入センサ２および任意の数の緊急コールペンダント３を設けることができる。
【０１０４】
また、上記実施の形態では、侵入センサ２の侵入検知部１９が可動部の磁石の動きに対応するリードスイッチにより構成されているが、これに限定されず、侵入検知部１９として、例えば焦電型赤外線センサ等の人体センサを用いても同様の効果が得られる。
【０１０５】
また、上記実施の形態では、緊急コールペンダント３の緊急コール装置２５が押ボタンスイッチにより構成されるが、これに限定されず、緊急コール装置２５として、例えば握ることにより接点が閉じるスイッチを用いてもよく、他の力学的接点機能を有するスイッチを用いてもよく、あるいは血圧計、脈拍計等の生理的指標を計測するセンサおよびそのセンサに連動して容態急変を非定常状態を示す信号として自動的に送信する送信機を用いてもよく、上記実施の形態と同様の効果が得られる。
【０１０６】
また、本実施の形態では、端末機器（侵入センサ２および緊急コールペンダント３）と中央処理装置１との間の通信媒体として無線通信を用いているが、専用線による有線通信、電灯線搬送通信、赤外線通信、光ファイバ通信等のいずれの通信媒体を用いても同様の効果が得られる。
【０１０７】
上記実施の形態では、中央処理装置１に音声出力装置１７および音声入力装置１８の両方が設けられているが、必要に応じて音声出力装置１７および音声入力装置１８のいずれか一方が設けられてもよい。
【０１０８】
上記実施の形態では、侵入センサ２に音声出力装置２３および音声入力装置２４の両方が設けられているが、必要に応じて音声出力装置２３および音声入力装置２４のいずれか一方が設けられてもよい。
【０１０９】
上記実施の形態では、緊急コールペンダント３に音声出力装置２９および音声入力装置３０の両方が設けられているが、必要に応じて音声出力装置２９および音声入力装置３０のいずれか一方が設けられてもよい。
【０１１０】
上記実施の形態では、本発明を防犯用および緊急通報用の監視システムに適用した場合を説明したが、本発明は、防災用、医療用等の他の目的の監視システムにも同様に適用することができる。防災用の監視システムの場合には、非定常状態とは、火災、地震、ガス漏れ、有毒ガス等が発生した状態であり、それぞれの状態を検知するための検知装置を端末機器に設ける。また、医療用の監視システムの場合には、非定常状態とは、血圧、脈拍、呼吸、血液成分等の生理指標の急変が発生した状態であり、同様にそれぞれの状態を検知するための検知装置を端末機器に設ける。本発明をこれらの監視システムに適用した場合でも、上記実施の形態と同様の効果が得られる。
【０１１１】
【発明の効果】
以上のように、本発明によれば、中央処理装置を電話機を介して予め登録された通信装置に外線接続することができるので、中央処理装置の設置の際に、電話機から電話線を抜く作業および抜いた電話線を中央処理装置に接続する作業が必要なく、作業の手間が軽減されるとともに、中央処理装置の設置上の自由度が向上する。したがって、中央処理装置の設置上の制約が軽減される。
【０１１２】
また、中央処理装置の接続手段が電話機と無線通信により接続される場合には、中央処理装置の設置の際に、電話機から電話機から電話線を抜く作業、抜いた電話線を中央処理装置に接続する作業および他の電話線を用いて中央処理装置と電話機とを接続する作業が必要なくなり、作業の手間がさらに軽減される。
【図面の簡単な説明】
【図１】本発明の第１の実施の形態に係る監視装置を用いた監視システムの構成を示すブロック図
【図２】図１の中央処理装置の構成を示すブロック図
【図３】図１の侵入センサの構成を示すブロック図
【図４】図１の緊急コールペンダントの構成を示すブロック図
【図５】外出警戒モード時における中央処理装置の制御装置の動作を示すフローチャート
【図６】在宅警戒モード時における中央処理装置の制御装置の動作を示すフローチャート
【図７】宅外緊急コールモード時における中央処理装置の制御装置の動作を示すフローチャート
【図８】宅内緊急コールモード時における中央処理装置の制御装置の動作を示すフローチャート
【図９】本発明の第２の実施の形態に係る監視装置を用いた監視システムの構成を示すブロック図
【図１０】本発明の第３の実施の形態に係る監視装置を用いた監視システムの構成を示すブロック図
【符号の説明】
１  中央処理装置
２  侵入センサ
３  緊急コールペンダント
４  リモコン
５  コードレス電話親機
６，７  子機
８  公衆回線網
９，１１  固定電話機
１０  携帯電話機
１２，２１，２７  データ通信装置
１３，２２，２８  音声通信装置
１４  制御装置
１５  送受信装置
１６  設定部
１７，２３，２９  音声出力装置
１８，２４，３０  音声入力装置
１９  侵入検知部
２０，２６  端末制御装置
２５  緊急コール装置
３１，３２  携帯電話機
１００，１００ａ，１００ｂ  監視装置
【図１】
2004186988.tif 000003
【図２】
2004186988.tif 000004
【図３】
2004186988.tif 000005
【図４】
2004186988.tif 000006
【図５】
2004186988.tif 000007
【図６】
2004186988.tif 000008
【図７】
2004186988.tif 000009
【図８】
2004186988.tif 000010
【図９】
2004186988.tif 000011
【図１０】
2004186988.tif 000012